(57)【特許請求の範囲】
【請求項１】
床面上に設置され、積み上げられたシート材の角部を隔離するコーナーカバーであって、基材と二枚の保護板とからなり、前記基材が、前記床面と接触する下面がＬ型平面を呈するＬ型部材と、該Ｌ型部材のＬ型の角部に、前記下面に対し垂直に立設した保護板つなぎ部とからなり、前記保護板が、前記Ｌ型部材に沿った長さで前記Ｌ型部材のＬ型の一辺の長さより短い保護板であり、前記保護板を、前記Ｌ型の角部を囲むように前記Ｌ型部材の側部と前記保護板つなぎ部材に固定してなり、かつ前記Ｌ型部材の、少なくともＬ型の一方の辺の側部に、２個の車輪を離間して有することを特徴とするコーナーカバー。
【請求項２】
前記保護板が、金属板であることを特徴とする請求項１に記載のコーナーカバー。
【請求項３】
前記Ｌ型部材および前記保護板つなぎ部材が、鋼製アングル加工品であることを特徴とする請求項１または２に記載のコーナーカバー。
【発明の詳細な説明】
【技術分野】
【０００１】
本発明は、工場内の作業場や、材料置き場等で、薄金属板等の材料を積層した状態で一時的に保管あるいは貯留しておく際に、作業者、あるいは歩行している作業者等の安全を確保するために配置するコーナーカバーに係り、とくに該コーナーカバーの設置安定性および易移動性向上に関する。
【背景技術】
【０００２】
工場内には、製造された製品あるいは作業途中の材料等を一時的に保管しておく場所（保管場所）を設置することが多い。そのような保管場所は、一般的に、通路、作業場とは線引き、色分け等により区別されていることが多い。しかし、このような保管場所でも、例えば、薄金属板等のシート状材料を積み上げた状態で保管していると、シート状材料の端部、とくに角部（コーナー部）が鋭利な状態で露出したままとなり、作業者や歩行中の作業者等が誤って角部（コーナー部）に接触し、負傷するケースが多々あった。このため、作業者や歩行中の作業者等が誤っても接触しないように、積み上げたシート状材料等の角部（コーナー部）を隠すためのコーナーカバーが設けられている。
【０００３】
例えば、特許文献１には、「移動式安全柵」が記載されている。特許文献１に記載された技術は、面材を取り付けた一対の枠状フレームをＬ型に連結し、これら枠状フレームの下端に３個の移動用キャスターが取り付けられた構造を有する安全柵である。特許文献１に記載された技術では、枠状フレーム同士の連結コーナー部下端、および一方の枠状フレームの連結コーナー部とは反対側の端部下端に、車輪の向きが可変とした回転式キャスターが取り付けられ、他方の枠状フレームの連結コーナー部とは反対側の端部下端に、車輪の向きを一定とした固定式キャスターを取り付けるとしている。また、特許文献１に記載された技術では、面材を網目状に形成することが好ましいとしている。特許文献１に記載された技術によれば、作業者等の安全が確保でき、さらに移動がより簡単となるとしている。
【先行技術文献】
【特許文献】
【０００４】
【特許文献１】特許第3879807号公報
【発明の概要】
【発明が解決しようとする課題】
【０００５】
しかしながら、特許文献１に記載された技術では、安全柵の下端にキャスターが配設されているため、安全柵の移動には便利であるが、キャスターのストッパーを作動させても、安全柵がずれ易く、安全柵を一定の場所に安定して設置することが難しいという問題があった。また、キャスターに移動防止のストッパーを付設する必要があるうえ、移動防止ストッパーを作動させることを忘れたりする場合があった。また、面材を網目状に形成すると、薄金属板等のシート材を積み上げた場合には、角部(コーナー部)の一部が網目からはみだすことが考えられ、角部(コーナー部)に接触すると負傷するリスクがあり、安全上問題を残していた。
【０００６】
また、床あるいは台車上に積み上げた薄金属板等のシート材のとくに危険なコーナー部を覆い隠すために、設置されるコーナーカバーにおいては、下端にキャスターを付けない場合でも、動きやすく設置位置がずれやすいという問題があり、それを回避するために、コーナーカバーの重量を増加する傾向にあった。しかし、重量が増加すると、コーナーカバーを、人間一人で取り扱うことが困難になり、設置位置のずれの修正を怠る場合や、コーナーカバーの設置を行わない場合などが頻発するという問題があった。
【０００７】
本発明は、かかる従来技術の問題を解決し、積み上げた薄金属板等のシート材のとくに危険なコーナー部を覆い隠すことが可能で、安定して設置が可能で、しかも最初に設置した位置から動きにくく、ずれにくく、かつ設置場所を変更する場合には、一人でも移動が可能であるという、設置安定性と易移動性とを兼備したコーナーカバーを提供することを目的とする。
【課題を解決するための手段】
【０００８】
本発明者らは、上記した目的を達成するため、積み上げた薄金属板等シート材の角部を覆うコ―ナーカバーに、設置安定性と易移動性とを兼備させるための構造について、鋭意検討した。その結果、コ―ナーカバーを、基材と板状の保護板とから構成し、該基材を、床面と接触する下面がＬ型平面を呈するＬ型部材と保護板つなぎ部材とから構成することに想到した。そして、保護板を板状とし、二枚の保護板を、Ｌ型の角部を囲むようにして、Ｌ型部材の側部と保護板つなぎ部材に固定すれば、積み上げた薄金属板等シート材の角部が、はみ出す心配は全くなくなり、しかも、重量も増加し、コーナーカバーを設置したときの安定性（設置安定性）も向上する。とくに、Ｌ型部材の下面の長さと幅の組み合わせを工夫すれば、設置安定性はより高くなる。
【０００９】
そして、さらに、Ｌ型部材の、少なくともＬ型の一方の辺の側部に、２個の車輪を離間して配設することに思い至った。Ｌ型部材の側部に車輪を取り付けることにより、コーナーカバーとして使用している場合には、コーナーカバーの安定設置には、なんの影響をも与えない。コーナーカバーを移動する場合には、車輪が着地するようにコーナーカバーを傾けることにより、容易に移動が可能となる。コーナーカバーの重量が重くなっても、人間一人で容易に移動でき、設置安定性と易移動性とを兼備したコ―ナーカバーとすることができることを見出した。
【００１０】
本発明は、上記した知見に基づき、さらに検討を加えて完成されたものである。すなわち、本発明の要旨はつぎのとおりである。
（１）床面上に設置され、積み上げられたシート材の角部を隔離するコーナーカバーであって、基材と二枚の保護板とからなり、前記基材が、前記床面と接触する下面がＬ型平面を呈するＬ型部材と、該Ｌ型部材のＬ型の角部に、前記下面に対し垂直に立設した保護板つなぎ部とからなり、前記保護板が、前記Ｌ型部材に沿った長さで前記Ｌ型部材のＬ型の一辺の長さより短い保護板であり、前記保護板を、前記Ｌ型の角部を囲むように前記Ｌ型部材の側部と前記保護板つなぎ部材に固定してなり、かつ前記Ｌ型部材の、少なくともＬ型の一方の辺の側部に、２個の車輪を離間して有することを特徴とするコーナーカバー。
（２）（１）において、前記保護板が、金属板であることを特徴とするコーナーカバー。
（３）（１）または（２）において、前記Ｌ型部材および前記保護板つなぎ部材が、鋼製アングル加工品であることを特徴とするコーナーカバー。
【発明の効果】
【００１１】
本発明によれば、積み上げた薄金属板等のシート材のとくに危険なコーナー部を、効果的に覆い隠すことができ、しかもコーナーカバー自体が、鋼材等で構成され、自重の重心位置が下方にあり、最初に設置した位置から動きにくく、ずれにくく、作業中あるいは通路を歩行中の作業者が、飛び出したシート材で負傷するリスクを回避でき、作業の安全性および歩行の安全性を格段に向上でき、作業環境の向上に寄与するという、産業上格段の効果を奏する。また、本発明によれば、コーナーカバーの設置場所を変更する場合にも、一人で容易に移動ができるという効果もある。
【図面の簡単な説明】
【００１２】
【図１】本発明コーナーカバーの概略構成を示す説明図である。
【図２】本発明コーナーカバーの設置状況を示す説明図である。
【図３】本発明コーナーカバーを移動する際の状況を示す説明図である。
【発明を実施するための形態】
【００１３】
本発明コーナーカバーは、基材１と保護板２とからなり、図２に示すように、床面上に設置され、積み上げられたシート材の、とくに角部を覆い隠すように設置される。基材１は、図１に示すように、床面と接触する下面1pがＬ型平面を呈するＬ型部材1aと、保護板つなぎ部材1cとからなる。なお、図１は、Ｌ型部材1aをアングル製としているため、アングルの一方を底部とし他方を側部1bとしているが、本発明はこれに限定されないことはいうまでもない。Ｌ型部材1aがアングルではない場合に、Ｌ型部材1aの一方の端部に沿って、下面1pに対し垂直に側部1bを設けてもよい。側部1bを設けることにより、保護板の固定および車輪の設置が容易になる。
【００１４】
なお、Ｌ型部材1a（底部）の幅ｈおよびＬ型部材のＬ型の一辺の長さ（Ｌ型平面の一辺の長さ）ｌは、コーナーカバーが安定して設置できるようにそれぞれ大きくすることが好ましいが、コーナーカバーの重量増加を伴うため、それらが両立する範囲で適宜選択して決定することが好ましい。
【００１５】
また、保護板つなぎ部材1cは、Ｌ型部材1aのＬ型角部で、下面1pに垂直に立設され、保護板の装着を容易にする。なお、保護板つなぎ部材1cの断面形状は、Ｌ型部材のＬ型の角部と同じＬ型を呈するようにすることが好ましいのはいうまでもない。
【００１６】
基材１は、上記した形状に一体的に作製しても、また、例えばアングル（Ｌ型）を組み合わせて作製してもよい。なお、アングル（Ｌ型）は鋼製とすることが好ましい。鋼製アングル（Ｌ型）を組み合わせて作製する場合には、アングル（Ｌ型）同士の接合は溶接接合とすることが好ましい。
【００１７】
本発明コーナーカバーでは、保護板２は、積み上げた薄金属板等のシート材のとくに危険なコーナー部を覆い隠すために、重要である。保護板を網目状とすると、シート材のとくに危険なコーナー部が露出するという危険があるため、本発明では、板状とする。保護板２を板状とすることにより、積み上げたシート材のコーナー部がコーナーカバーからはみ出すことはなくなる。なお、保護板２は、金属板、好ましくは板厚：1.0〜1.6mm程度の薄鋼板とすることが好ましい。
【００１８】
保護板２は、２枚で、図１に示すように、Ｌ型の角部を囲むように、Ｌ型の角部の両側で、保護板の長さ（高さ）方向の一端をＬ型部材1aの側部に、保護板の幅方向の一端を保護板つなぎ部材1cに、それぞれ、ビス等で固定され、装着される。装着する保護板２の長さ(高さ)Ｈは、安全性の観点からシート材等の積み上げ高さ以上である、1000mm程度とすることが好ましい。また、保護板２の幅Ｂは、Ｌ型部材1aのＬ型の一辺の長さｌと同じか、あるいはそれより短い、（l-100）mm程度とすることが、コーナーカバー重量軽減という観点から好ましい。保護板２の幅Ｂは、300mm程度もあれば、積み上げたシート材のとくに危険なコーナー部を覆い隠すことができる。
【００１９】
本発明コーナーカバーでは、基材１のＬ型部材1aのＬ型の少なくとも一方の辺の側部（図１では1b）に２個の車輪３，３を、回転自在に離間して配設する。なお、車輪は、Ｌ型の両方の側部に計４個としてもよい。
【００２０】
なお、配設する車輪は、車輪の向きが一定である固定式とする。車輪の向きが可変となる回転式としてもよいが、本発明コーナーカバーでは、固定式で十分である。というのは、車輪をＬ型部材1aの側部1b、すなわちコーナーカバーの側面に配設しており、コーナーカバーの移動に際しては、移動の方向は一定となるためである。車輪を、コーナーカバーの側面に配設することにより、設置時にはコーナーカバーの位置がずれたり、コーナーカバーが大きく移動したりする不具合を解消でき、設置安定性にすぐれ、かつ移動時には、図３に示すように、コーナーカバーを車輪が接地する程度に傾けるだけで、容易に移動が可能となり、易移動性が向上する。
【実施例】
【００２１】
基材１のＬ型部材用素材として、鋼製アングル（断面Ｌ字状：6×50×50mm）を用意した。そして、鋼製アングルを長さ500mmに切断し、一辺500mmのＬ型となるように加工し接合して、Ｌ型部材1aとした。断面Ｌ字状の一辺をＬ型部材1aの底部とし、他方を側部1bとした。底部は、床面と接する下面1pが、一辺長さ500mmのＬ型平面（幅50mm）を呈する。また、保護板つなぎ部材1c用素材として、鋼製アングル（断面Ｌ字状：3×30×30mm）を用意し、長さ1000mmに切断し、保護板つなぎ部材1cとした。保護板つなぎ部材1cの端部を、Ｌ型部材1aのＬ型の角部に、下面1pに対し垂直となるように溶接接合で立設した。
【００２２】
また、保護板２用素材として、薄鋼板（板厚1.2mm）を用意し、大きさ：幅300×長さ(高さ)1000mmにそれぞれ切断し、２枚の保護板２とした。
【００２３】
そして、保護板２を、基材１のＬ型角部の両側で、保護板の長さ（高さ）方向の一端をＬ型部材1aの側部に、保護板の幅方向の一端を保護板つなぎ部材1cに、それぞれ、ビスで固定した。
【００２４】
ついで、基材１のＬ型部材のＬ型の一方の辺(脚)の側部1bに、２個の車輪（キャスター等）３，３を離間して、固定し、図１に示すような形状の本発明コーナーカバーとした。
【００２５】
得られたコーナーカバーを、薄鋼板（幅900mm）を120mm積み上げた保管場所に設置した。設置したコーナーカバーは、図２に示すように、薄鋼板のコーナー部を十分に覆い隠すことができ、しかも設置中、ずれ等は生じず、設置安定性に優れていた。また、コーナーカバーを移動する際には、コーナーカバーをわずかに傾けるだけで、図３に示すように、車輪が接地し移動可能となり、一人で十分に移動させることができた。
【符号の説明】
【００２６】
１  基材
1a  Ｌ型部材（底部）
1b  側部
1c  保護板つなぎ部材
２  保護板
３  車輪
【図１】
0006654916.tif 000002
【図２】
0006654916.tif 000003
【図３】
0006654916.tif 000004